(57)【要約】【課題】ユーザにとって、購入時の費用負担が過大になったり、消耗品を保管するスペースが必要となったりすることがなく、ユーザの購買意欲を十分に刺激することのできる消耗品販売促進システムを提供する。【解決手段】販売促進情報を出力する印刷デバイス５と、該印刷デバイス５に対してリソース情報を発行する消耗品販売促進サーバ６とを備えた消耗品販売促進システム１であって、前記印刷デバイス５によって印刷された前記販売促進情報の印刷枚数をカウントする印刷枚数計測手段１１と、該印刷枚計測手段１１によってカウントされた前記販売促進情報の印刷枚数に応じてリソース情報を発行するリソース情報発行手段１７とを備えていることを特徴とする。【選択図】図５a
2007299112.tif 000002
【特許請求の範囲】
【請求項１】
販売促進情報を出力する印刷デバイスと、該印刷デバイスに対してリソース情報を発行する消耗品販売促進サーバとを備えた消耗品販売促進システムであって、
前記印刷デバイスによって印刷された前記販売促進情報の印刷枚数をカウントする印刷枚数計測手段と、
該印刷枚計測手段によってカウントされた前記販売促進情報の印刷枚数に応じてリソース情報を発行するリソース情報発行手段と、
を備えていることを特徴とする消耗品販売促進システム。
【請求項２】
前記リソース情報には、消耗品の割引販売価格に関する情報が含まれている請求項１に記載の消耗品販売促進システム。
【請求項３】
前記印刷デバイスを特定するための印刷デバイス特定情報を格納する格納手段と、該格納手段に格納された印刷デバイス特定情報により特定された印刷デバイスに前記販売促進情報を発行する販売促進情報発行手段とを備えている請求項１又は２に記載の消耗品販売促進システム。
【発明の詳細な説明】
【技術分野】
【０００１】
本発明は、販売促進情報を印刷する印刷デバイスに対してリソース情報を発行する消耗品販売促進システムに関する。
【背景技術】
【０００２】
従来、クーポンや広告等の販売促進情報を利用して、トナーやインク等の消耗品の販売を促進しようとする消耗品販売促進システムが公知である。
【０００３】
従来のこの種の消耗品販売促進システムとしては、例えば、ユーザが一度に消耗品を大量購入した場合に、その一部分を無料としたり、価格を値引いたりするものや、或いは、ユーザと販売者との間で定期購買契約を結ぶことによって、販売者が価格を値引いたりするもの等が知られている（例えば、特許文献１参照）。
【特許文献１】特開２００１−３４７７３４号公報
【発明の開示】
【発明が解決しようとする課題】
【０００４】
しかしながら、上記した前者の消耗品販売促進システムの場合には、一度に大量の消耗品を購入しなければならないため、ユーザにとって、購入時の費用負担が過大になったり、消耗品を保管するスペースが必要となったりするといった問題があった。
【０００５】
また、上記した後者の消耗品販売促進システムの場合には、消耗品の購入量に拘らず、値引き額が一定となるため、ユーザの購買意欲を十分に刺激することができないといった問題があった。
【０００６】
本発明は、上記した課題を解決すべくなされたものであり、ユーザにとって、購入時の費用負担が過大になったり、消耗品を保管するスペースが必要となったりすることがなく、ユーザの購買意欲を十分に刺激することのできる消耗品販売促進システムを提供することを目的とするものである。
【課題を解決するための手段】
【０００７】
上記した目的を達成するため、本発明は、販売促進情報を出力する印刷デバイスと、該印刷デバイスに対してリソース情報を発行する消耗品販売促進サーバとを備えた消耗品販売促進システムであって、前記印刷デバイスによって印刷された前記販売促進情報の印刷枚数をカウントする印刷枚数計測手段と、該印刷枚計測手段によってカウントされた前記販売促進情報の印刷枚数に応じてリソース情報を発行するリソース情報発行手段とを備えていることを特徴とする。
【０００８】
そして、前記リソース情報には、消耗品の割引販売価格に関する情報が含まれていてもよい。
【０００９】
また、前記印刷デバイスを特定するための印刷デバイス特定情報を格納する格納手段と、該格納手段に格納された印刷デバイス特定情報により特定された印刷デバイスに前記販売促進情報を発行する販売促進情報発行手段とを備えていてもよい。
【発明の効果】
【００１０】
本発明によれば、印刷デバイスによって印刷された販売促進情報の印刷枚数に応じてリソース情報が発行されるため、ユーザは一度に大量の消耗品を購入する必要がなく、購入時の費用負担が過大になったり、消耗品を保管するスペースが必要となったりすることがなく、ユーザの購買意欲を十分に刺激することができる。
【発明を実施するための最良の形態】
【００１１】
以下、図面を参照しつつ、本発明の実施の形態に係る消耗品販売促進システムについて説明する。ここで、図１は本発明の実施の形態に係る消耗品販売促進システムの構成を示すネットワーク図、図２は同消耗品販売促進システムにおける販売促進情報配信サーバの構成を示す機能ブロック図、図３は同消耗品販売促進システムにおける印刷デバイスの構成を示す機能ブロック図、図４は同消耗品販売促進システムにおける消耗品販売促進サーバの構成を示す機能ブロック図である。
【００１２】
本実施の形態に係る消耗品販売促進システム１は、インターネット等のネットワーク通信網２を介して、ＰＣ（Personal Computer）端末３と、販売促進情報配信サーバ４と、複数（図１には１台のみ図示）の印刷デバイス５と、消耗品販売促進サーバ６とが接続されて構成されている。
【００１３】
販売促進情報配信サーバ４には、ＰＣ端末３から入力されたＰＣ端末３のメールアドレス、登録会員の氏名、住所等の個人情報や印刷デバイスを特定するための印刷デバイス特定情報（例えばＩＰ（Internet Protocol）アドレス）、或いは印刷デバイス５が配信を希望するカテゴリを格納する基本情報格納部７と、印刷デバイス特定情報により特定された印刷デバイスに対して、商品やサービスの割引クーポンや広告等の販売促進情報を発行する販売促進情報発行部８とが設けられている。
【００１４】
ここで、カテゴリとは、例えば、食品、自動車、生活雑貨等、提供を受ける商品やサービスの種類や、北海道、東北、関東、関西等、商品やサービスの提供を受ける地域等が含まれる。
【００１５】
印刷デバイス５は、例えば、コンビニエンスストアやその他物販店に配置されるものであり、販売促進情報を格納する販売促進情報格納部９と、販売促進情報格納部９に格納された販売促進情報を印刷する出力部１０と、出力部１０において一定期間内に印刷された販売促進情報の総数（以下「印刷枚数」と言う。）をカウントする印刷枚数計測部１１と、トナーやインク或いは用紙等の消耗品の残量を監視するリソース監視部１２と、リソース監視部１２で監視された消耗品の残量が予め設定された下限値以下になった時に消耗品不足情報として消耗品販売促進サーバ６に通知するリソース情報管理部１３とが設けられている。
【００１６】
消耗品販売促進サーバ６には、ＰＣ端末３から入力された個人情報や印刷デバイス特定情報を格納する基本情報格納部１４と、印刷デバイス５の印刷枚数計測部１１でカウントされた印刷枚数を格納する印刷枚数データ格納部１５と、印刷枚数データ格納部１５に格納された印刷枚数が多くなる程、消耗品の割引率が高くなるように設定された価格テーブルを格納する消耗品販売価格格納部１６と、印刷デバイス５のリソース情報管理部１３から通知された消耗品不足情報に基づき、消耗品の割引販売価格に関する情報等のリソース情報を発行するリソース情報発行部１７とが設けられている。
【００１７】
次に、図５ａ及び図５ｂを参照しつつ、本実施の形態における消耗品販売促進システムの作用について説明する。なお、以下の説明では、消耗品の割引販売価格に関する情報をリソース情報として使用した場合について例示して説明する。
【００１８】
会員登録を希望するユーザが、住所や氏名等の個人情報と、クーポンの配信を希望する印刷デバイス５のＩＰアドレス等の印刷デバイス特定情報を、ＰＣ端末３から入力すると、これらの個人情報及び印刷デバイス特定情報は、それぞれ、販売促進情報配信サーバ４及び消耗品販売促進サーバ６に送信され（Ｓ１０１）、販売促進情報配信サーバ４の基本情報格納部７及び消耗品販売促進サーバ６の基本情報格納部１４に格納される（Ｓ１０２）。また、この時、ＰＣ端末３からは、販売促進情報の配信を希望するカテゴリを入力することもでき（Ｓ１０１）、該カテゴリは、印刷デバイス特定情報に関連付けて販売促進情報配信サーバ４の基本情報格納部７に登録される。
【００１９】
このようにして会員登録やカテゴリの登録が完了すると、販売促進情報配信サーバ４の販売促進情報発行部８から、印刷デバイス特定情報により特定された印刷デバイス５に対して販売促進情報が発行、配信される。
【００２０】
また、この時、印刷デバイス５の印刷デバイス特定情報に関連付けて基本情報格納部７にカテゴリが登録されている場合には、販売促進情報発行部８によって、該カテゴリが基本情報格納部７から読み込まれ、該カテゴリに関連する販売促進情報だけが印刷デバイス５に発行される。
【００２１】
次いで、印刷デバイス５において、販売促進情報格納部９に格納された販売促進情報が出力部１０から印刷されると（Ｓ１０３）、販売促進情報の印刷枚数が印刷枚数計測部１１によってカウントされる（Ｓ１０４）。そして、この販売促進情報の印刷枚数に関するデータは、随時、消耗品販売促進サーバ６に送信され、印刷枚数データ格納部１５に保存される（Ｓ１０５）。また、この時、印刷枚数データ格納部１５には、印刷デバイス特定情報により特定される印刷デバイス別に専用の格納領域が設けられており、この場合の印刷枚数は印刷デバイス５用の格納領域に格納される。
【００２２】
また、印刷デバイス５では、リソース監視部１２によって、常時、消耗品の残量が監視されている。そして、リソース情報管理部１３によって、リソース監視部１２において監視された消耗品の残量と予め設定された残量の下限値とが比較され（Ｓ１０６）、消耗品の残量が予め設定された消耗品の下限値以下であると判断された場合には、消耗品不足情報として消耗品販売促進サーバ６に通知される（Ｓ１０７）。
【００２３】
これを受けて消耗品販売促進サーバ６では、リソース情報発行部１７によって、印刷枚数データ格納部１５の印刷デバイス５用の格納領域から印刷デバイス５の印刷枚数が取得され、消耗品販売価格格納部１６に格納された価格テーブルに基づき、この印刷枚数に応じたリソース情報が発行される。
【００２４】
その後、このリソース情報はＰＣ端末３のメールアドレス宛に電子メールとして送信され（Ｓ１０８）、ユーザはこのリソース情報に従って消耗品を購入することができる（Ｓ１０９）。
【００２５】
このように、本発明の実施の形態に係る消耗品販売促進システム１によれば、ユーザは、販売促進情報の印刷枚数に応じて値引きされた価格で、消耗品を購入することができる。すなわち、ユーザは、印刷枚数に応じて割引価格の適用を受けるため、一度に大量の消耗品を購入する必要がなく、購入時の費用負担が過大になったり、消耗品を保管するスペースが必要となったりすることがない。また、販売促進情報の印刷枚数が多いほど、消耗品の値引き額が大きくなるため、ユーザの購買意欲を十分に刺激することができる。
【００２６】
さらに、本発明の実施の形態に係る消耗品販売促進システム１によれば、ユーザが消耗品を低価格で購入することができるため、販売促進情報の利用促進を図ることができる。また、消耗品の提供側も消耗品の斡旋をネットワーク通信網２を介して自動的に行うことができるため、消耗品の販売促進を効率的に行うことができる。
【００２７】
なお、上記した実施の形態では、消耗品の割引販売価格に関する情報をリソース情報として使用した場合について説明したが、これは一例に過ぎず、リソース情報には、消耗品に景品を添えて提供するといった販売形態に関する情報等、ユーザにとって有利な他の情報が含まれていてもよい。そして、例えば、消耗品に景品を添えて提供する場合には、販売促進情報の印刷枚数が多くなる程、より高価な景品を提供するようにするのがよい。
【００２８】
また、上記した実施の形態のように、販売促進情報の印刷枚数に応じてリソース情報を発行するだけでなく、消耗品の販売店舗からのフィードバック等によって、販売促進情報の実際の利用状況を把握し、その利用状況に応じてリソース情報を発行するようにしてもよい。
【００２９】
さらに、上記した実施の形態では、販売促進情報配信サーバ４及び消耗品販売促進サーバ６への会員登録をＰＣ端末３側から行う場合について説明したが、これは単なる例示に過ぎず、例えば、印刷デバイス側から行ったり、或いは、会員申込書に会員登録のための情報を記入して郵送したりする等、各種変更が可能である。
【００３０】
さらにまた、リソース情報の送信先は、上記したＰＣ端末３に限定されるものではなく、例えば、印刷デバイス等、他の装置であってもよい。そして、リソース情報が印刷デバイスに直接送信されるように構成した場合、そのリソース情報は印刷デバイスに装備されたディスプレイ（図示省略）に表示される。
【図面の簡単な説明】
【００３１】
【図１】本発明の実施の形態に係る消耗品販売促進システムの構成を示すネットワーク図である。
【図２】本発明の実施の形態に係る消耗品販売促進システムにおける販売促進情報配信サーバの構成を示すブロック図である。
【図３】本発明の実施の形態に係る消耗品販売促進システムにおける印刷デバイスの構成を示す機能ブロック図である。
【図４】本発明の実施の形態に係る消耗品販売促進システムにおける消耗品販売促進サーバの構成を示す機能ブロック図である。
【図５ａ】本発明の実施の形態に係る消耗品販売促進システムの作用を示すフローチャートである。
【図５ｂ】本発明の実施の形態に係る消耗品販売促進システムの作用を示すフローチャートである。
【符号の説明】
【００３２】
１    消耗品販売促進システム
５    印刷デバイス
６    消耗品販売促進サーバ
７    基本情報格納部
８    販売促進情報発行部
１１  印刷枚数計測部
１７  リソース情報発行部
【図１】
2007299112.tif 000003
【図２】
2007299112.tif 000004
【図３】
2007299112.tif 000005
【図４】
2007299112.tif 000006
【図５ａ】
2007299112.tif 000007
【図５ｂ】
2007299112.tif 000008